(57)【特許請求の範囲】
【請求項１】
光源からの光を予備偏光分離する偏光装置と、
前記偏光装置によって予備偏光分離された光をＲ光、Ｇ光及びＢ光に色分解する色分解光学系と、
前記色合成光学系によって色分解されたＲ光、Ｇ光及びＢ光のうちの少なくとも１つの色光を反射させてその光軸の方向を変える１つ以上の折り曲げミラーと、
前記１つ以上の折り曲げミラーによって光軸の方向が変えられた色光を含むＲ光、Ｇ光及びＢ光をそれぞれ変調する第１、第２及び第３のライトバルブと、
前記第１、第２及び第３のライトバルブによってそれぞれ変調されたＲ光、Ｇ光及びＢ光を色合成する色合成光学系と、
前記色合成光学系によって色合成された光を投射する投射光学系と、
を備え、
前記１つ以上の折り曲げミラーは、入射光の偏光の純度より反射光の偏光の純度を高くする特性を有するミラーであることを特徴とする投射型表示装置。
【請求項２】
光源からの光を予備偏光分離する偏光装置と、
前記偏光装置によって予備偏光分離された光をＲ光、Ｇ光及びＢ光に色分解する色分解光学系と、
前記色分解光学系によって色分解されたＲ光、Ｇ光及びＢ光をそれぞれ反射させてそれらの光軸の方向をそれぞれ変える各色光毎に１つ以上の折り曲げミラーと、
前記各色光毎に１つ以上の折り曲げミラーによって光軸の方向が変えられたＲ光、Ｇ光及びＢ光をそれぞれ変調する第１、第２及び第３のライトバルブと、
前記第１、第２及び第３のライトバルブによってそれぞれ変調されたＲ光、Ｇ光及びＢ光を色合成する色合成光学系と、
前記色合成光学系によって色合成された光を投射する投射光学系と、
を備え、
前記各色光毎に１つ以上の折り曲げミラーは、入射光の偏光の純度より反射光の偏光の純度を高くする特性を有するミラーであることを特徴とする投射型表示装置。
【請求項３】
光源からの光を予備偏光分離する偏光装置と、
前記偏光装置によって予備偏光分離された光をＲ光、Ｇ光及びＢ光に色分解する色分解光学系と、
前記色分解光学系によって色分解されたＲ光、Ｇ光及びＢ光をそれぞれ反射させてそれらの光軸の方向をそれぞれ変える各色光毎に複数の折り曲げミラーと、
前記各色光毎に複数の折り曲げミラーによって光軸の方向が変えられたＲ光、Ｇ光及びＢ光をそれぞれ変調する第１、第２及び第３のライトバルブと、
前記第１、第２及び第３のライトバルブによってそれぞれ変調されたＲ光、Ｇ光及びＢ光を色合成する色合成光学系と、
前記色合成光学系によって色合成された光を投射する投射光学系と、
を備え、
前記各色光毎に複数の折り曲げミラーのうちの少なくとも、対応するライトバルブの入射側において当該ライトバルブの最も近くに配置された各色光毎に折り曲げミラーは、入射光の偏光の純度より反射光の偏光の純度を高くする特性を有するミラーであることを特徴とする投射型表示装置。
【請求項４】
光源からの光を予備偏光分離する偏光装置と、
前記偏光装置によって予備偏光分離された光をＲ光、Ｇ光及びＢ光に色分解する色分解光学系と、
前記色分解光学系によって色分解されたＲ光、Ｇ光及びＢ光をそれぞれ反射させてそれらの光軸の方向をそれぞれ変える各色光毎に複数の折り曲げミラーと、
前記各色光毎に複数の折り曲げミラーによって光軸の方向が変えられたＲ光、Ｇ光及びＢ光をそれぞれ変調する第１、第２及び第３のライトバルブと、
前記第１、第２及び第３のライトバルブによってそれぞれ変調されたＲ光、Ｇ光及びＢ光を色合成する色合成光学系と、
前記色合成光学系によって色合成された光を投射する投射光学系と、
を備え、
前記各色光毎に複数の折り曲げミラーは、入射光の偏光の純度より反射光の偏光の純度を高くする特性を有するミラーであることを特徴とする投射型表示装置。
【請求項５】
光源からの光を予備偏光分離する偏光装置と、
前記偏光装置によって予備偏光分離された光をＲ光、Ｇ光及びＢ光に色分解する色分解光学系と、前記色分解光学系によって色分解されたＲ光、Ｇ光及びＢ光をそれぞれ反射させてそれらの光軸の方向をそれぞれ変える各色光毎に１つ以上の折り曲げミラーと、前記Ｒ光、Ｇ光及びＲ光にそれぞれ対応して設けられた第１、第２及び第３の偏光ビームスプリッタと、第１、第２及び第３の反射型ライトバルブと、色合成光学系と、投射光学系と、を備え、
前記第１、第２及び第３の偏光ビームスプリッタは、前記各色光毎に１つ以上の折り曲げミラーによって光軸の方向が変えられたＲ光、Ｇ光及びＢ光をそれぞれ２つの偏光光に偏光分離し、
前記第１、第２及び第３の反射型ライトバルブは、前記第１、第２及び第３の偏光ビームスプリッタによって偏光分離されたＲ光、Ｇ光及びＢ光の一方の偏光光をそれぞれ変調し、
前記第１、第２及び第３の偏光ビームスプリッタは、前記第１、第２及び第３の反射型ライトバルブによってそれぞれ変調されたＲ光、Ｇ光及びＢ光をそれぞれ検光し、
前記色合成光学系は、前記第１、第２及び第３の偏光ビームスプリッタによって検光されたＲ光、Ｇ光及びＢ光を色合成し、
前記投射光学系は、前記色合成光学系によって色合成された光を投射し、
前記各色光毎に１つ以上の折り曲げミラーは、入射光の偏光の純度より反射光の偏光の純度を高くする特性を有するミラーであることを特徴とする投射型表示装置。
【発明の詳細な説明】
【０００１】
【発明の属する技術分野】
本発明は、ライトバルブを用いた投射型表示装置に関するものである。
【０００２】
【従来の技術】
光源光を色分解光学系にてＲ光、Ｇ光及びＢ光に色分解し、これらの各色光を各色光毎に配置された液晶ライトバルブに入射させて変調して出射させ、当該出射光を検光してから色合成し、この色合成光を投射光学系にてスクリーン上に投射する投射型表示装置が知られている。このような投射型表示装置においては、各色光用のライトバルブに入射する光は直線偏光であり、ライトバルブに入射する前に偏光光学系にて直線偏光光を形成してから当該偏光光をライトバルブ入射する必要がある。この入射偏光光の純度（Ｐ偏光光をライトバルブに入射する構成であればＰ偏光成分中のＳ偏光成分の量比）は大なればなるほど良く、コントラストの良好な投射像が得られるわけである。
【０００３】
ライトバルブに入射する直線偏光の純度を良好にするために、光源光をまず偏光装置にて一旦かなりの純度（偏光分離比）を持った略直線偏光としてから、当該光をライトバルブに入射させる方法が、特開平５−１５７９１５号公報に開示されている。
【０００４】
図１９は、前記公報に開示されている偏光装置を示す概略構成図である。図２０は、前記公報に開示されている当該偏光装置を使用した投射型表示装置を示す概略構成図である。
【０００５】
前記公報に開示された偏光装置は、図１９に示すように、ガラス基板２４の両面にガラス基板２４より高屈折率の誘電体膜（光学薄膜）２５をそれぞれ両面に形成し、当該部材を光軸に対して略ブリュスター角になるように配置したものであり、ジグザグ状にそれぞれ２枚を配置した構成となっている。ジグザグ状にしたのは配置するのに小型化が達成できるからであり、ジグザグ状にしないで一枚の基板として前記光軸に対して略ブリュスター角になるように配置しても、偏光装置としての効果は同じである。この偏光装置にランダム偏光光である光源光を入射することにより、透過光としてＰ偏光光を所定の性能でもって選択出射することができる。なお、複数枚の配置とすることにより相互作用の回数を増加させることができることから、より純度の高い略直線偏光を出射することができるようになる。
【０００６】
この偏光装置を使用した前記公報に開示されている投射型表示装置について、図２０を参照して説明する。この投射型表示装置では、前記偏光装置は光源光を予備偏光分離するように使用されている。光源６１より出射した光源光は、折り曲げミラー５９を経由して偏光装置６２（図１９に示す偏光装置）に入射し、該偏光装置６２を透過して略直線偏光光になって、ダイクロイックミラー６３，６４からなる色分解光学系に入射し、３つの原色光（Ｒ光（赤色光）、Ｇ光（緑色光）及びＢ光（青色光））に分解される。色分解された１つの色光のみが折り曲げミラー６５にて反射されてその光軸の方向が変えられる。各原色光はそれぞれフィールドレンズ６６，６７，６８、１／２波長板６９，７０，７１、入射側偏光板７２，７３，７４、液晶セル７５，７６，７７、出射側偏光板７８，７９，８０の順に透過し、各出射側偏光板７８，７９，８０を出射した光は、ダイクロイックミラー８１，８２と平面ミラー８３を組み合わせた色合成光学系によって色合成され、投射レンズ８４によって投射される。なお、前記要素７２，７５，７８、前記要素７３，７６，７９、前記要素７４，７７，８０は、それぞれ透過型ライトバルブを構成している。なお、図２０中、６０は光軸である。
【０００７】
【発明が解決しようとする課題】
しかし、前述した従来の投射型表示装置においては、せっかく偏光装置６２によって、略直線偏光に変換しても、各ライトバルブを構成する入射側偏光板７２，７３，７４に達するまでに、ダイクロイックミラー６３，６４及び折り曲げミラー６５によって反射させることにより、光軸の方向を変え、各色光用ライトバルブまで導くこととしているために、前記略直線偏光の偏光状態が乱されてしまい、偏光装置６２による略直線偏光化を結果として意味のないものとならしめていた。このために、ライトバルブには純度の良好な直線偏光光を入射させることができず、その結果として、投射像のコントラストを上げることができないでいた。
【０００８】
これを防ぐためには前記偏光装置６２を各ライトバルブの直前にそれぞれ配置することが考えられるが、その場合には、コストアップを免れないのみならず、スペースの点でも、偏光装置６２自体がジグザグ状に折り曲げて省スペース化を可能ならしめたといっても、相当の空間を確保せねばならず、装置の大型化を免れない。
【０００９】
本発明は、このような事情に鑑みてなされたものであり、コストアップ及び装置の大型化を招くことなく、偏光の純度の良好な直線偏光光をライトバルブに入射して良好なコントラストの投射像を得ることができる投射型表示装置を提供することを目的とするものである。
【００１０】
【課題を解決するための手段】
前記課題を解決するため、本発明の第１の態様による投射型表示装置は、光源からの光を予備偏光分離する偏光装置と、前記偏光装置によって予備偏光分離された光をＲ光、Ｇ光及びＢ光に色分解する色分解光学系と、前記色合成光学系によって色分解されたＲ光、Ｇ光及びＢ光のうちの少なくとも１つの色光を反射させてその光軸の方向を変える１つ以上の折り曲げミラーと、前記１つ以上の折り曲げミラーによって光軸の方向が変えられた色光を含むＲ光、Ｇ光及びＢ光をそれぞれ変調する第１、第２及び第３のライトバルブと、前記第１、第２及び第３のライトバルブによってそれぞれ変調されたＲ光、Ｇ光及びＢ光を色合成する色合成光学系と、前記色合成光学系によって色合成された光を投射する投射光学系と、を備え、前記１つ以上の折り曲げミラーは、入射光の偏光の純度より反射光の偏光の純度を高くする特性を有するミラーであるものである。
【００１１】
この第１の態様によれば、光源からの光が、偏光装置により予備偏光された後に、色分解光学系によりＲ光、Ｇ光及びＢ光に色分解される。これらの色分解されたＲ光、Ｇ光及びＢ光のうちの少なくとも１つの色光が、反射光を直線偏光光に近づける偏光特性を有するミラー（以下、説明の便宜上、「偏光ミラー」という。）である１つ以上の折り曲げミラーによって、反射されてその光軸の方向が変えられる。そして、このように光軸の方向が変えられた色光を含むＲ光、Ｇ光及びＢ光がそれぞれ第１、第２及び第３のライトバルブに入射される。したがって、各色光は色分解前に予め前記偏光装置により偏光の純度が高められた後にそれぞれ第１、第２及び第３のライトバルブに入射することになるので、前述した従来の投射型表示装置と同様に、ライトバルブへ入射する光の偏光の純度が高まり投射像のコントラストが向上する。しかも、前記第１の態様では、前記少なくとも１つの色光は、色分解後に偏光ミラーである折り曲げミラーを経由してからライトバルブに入射することになるので、当該色光は、前記偏光装置により一旦偏光の純度が高められた後にたとえその偏光状態が色分解光学系等により乱されたとしても、再び当該折り曲げミラーにより偏光の純度が高められてからライトバルブに入射されることとなる。このため、前述した従来の投射型表示装置に比べて、ライトバルブへ入射する光の純度が一層高まり、投射像のコントラストが一層向上する。前記偏光ミラーは、例えば、ガラス基板と誘電体多層膜とにより構成することができるので、それ自体高価でないとともに占有空間が極めて少ないものであり、しかも、前記第１の態様では、そもそも投射型表示装置が有している折り曲げミラーとして偏光ミラーが用いられているので、前述した従来の投射型表示装置と比べて、コストアップ及び装置の大型化を招くことがない。
【００１２】
本発明の第２の態様による投射型表示装置は、光源からの光を予備偏光分離する偏光装置と、前記偏光装置によって予備偏光分離された光をＲ光、Ｇ光及びＢ光に色分解する色分解光学系と、前記色分解光学系によって色分解されたＲ光、Ｇ光及びＢ光をそれぞれ反射させてそれらの光軸の方向をそれぞれ変える各色光毎に１つ以上の折り曲げミラーと、前記各色光毎に１つ以上の折り曲げミラーによって光軸の方向が変えられたＲ光、Ｇ光及びＢ光をそれぞれ変調する第１、第２及び第３のライトバルブと、前記第１、第２及び第３のライトバルブによってそれぞれ変調されたＲ光、Ｇ光及びＢ光を色合成する色合成光学系と、前記色合成光学系によって色合成された光を投射する投射光学系と、を備え、前記各色光毎に１つ以上の折り曲げミラーは、入射光の偏光の純度より反射光の偏光の純度を高くする特性を有するミラーであるものである。
【００１３】
この第２の態様によれば、光源からの光が、偏光装置により予備偏光された後に、色分解光学系によりＲ光、Ｇ光及びＢ光に色分解される。これらの色分解されたＲ光、Ｇ光及びＢ光がそれぞれ、偏光ミラーである１つ以上の折り曲げミラーによって、反射されてその光軸の方向が変えられる。そして、このように光軸の方向が変えられたＲ光、Ｇ光及びＢ光がそれぞれ第１、第２及び第３のライトバルブに入射される。したがって、前述した従来の投射型表示装置と同様に、各色光は色分解前に予め前記偏光装置により偏光の純度が高められた後にそれぞれ第１、第２及び第３のライトバルブに入射することになるので、ライトバルブへ入射する光の偏光の純度が高まり投射像のコントラストが向上する。しかも、前記第２の態様では、全ての色光は、色分解後に偏光ミラーである折り曲げミラーを経由してからライトバルブに入射することになるので、全ての色光は、前記偏光装置により一旦偏光の純度が高められた後にたとえその偏光状態が色分解光学系等により乱されたとしても、再び当該折り曲げミラーにより偏光の純度が高められてからライトバルブに入射されることとなる。このため、前述した従来の投射型表示装置に比べて、ライトバルブへ入射する光の純度が一層高まり、投射像のコントラストが一層向上する。前記偏光ミラーは、例えば、ガラス基板と誘電体多層膜とにより構成することができるので、それ自体高価でないとともに占有空間が極めて少ないものであり、しかも、前記第２の態様においても、そもそも投射型表示装置が有している折り曲げミラーとして偏光ミラーが用いられているので、前述した従来の投射型表示装置と比べて、コストアップ及び装置の大型化を招くことがない。
【００１４】
本発明の第３の態様による投射型表示装置は、光源からの光を予備偏光分離する偏光装置と、前記偏光装置によって予備偏光分離された光をＲ光、Ｇ光及びＢ光に色分解する色分解光学系と、前記色分解光学系によって色分解されたＲ光、Ｇ光及びＢ光をそれぞれ反射させてそれらの光軸の方向をそれぞれ変える各色光毎に複数の折り曲げミラーと、前記各色光毎に複数の折り曲げミラーによって光軸の方向が変えられたＲ光、Ｇ光及びＢ光をそれぞれ変調する第１、第２及び第３のライトバルブと、前記第１、第２及び第３のライトバルブによってそれぞれ変調されたＲ光、Ｇ光及びＢ光を色合成する色合成光学系と、前記色合成光学系によって色合成された光を投射する投射光学系と、を備え、前記各色光毎に複数の折り曲げミラーのうちの少なくとも、対応するライトバルブの入射側において当該ライトバルブの最も近くに配置された各色光毎に折り曲げミラーは、入射光の偏光の純度より反射光の偏光の純度を高くする特性を有するミラーであるものである。
【００１５】
この第３の態様では、光源からの光が、偏光装置により予備偏光された後に、色分解光学系によりＲ光、Ｇ光及びＢ光に色分解される。これらの色分解されたＲ光、Ｇ光及びＢ光がそれぞれ、複数の折り曲げミラーによって、複数回反射されてその光軸の方向が複数回変えられる。そして、このように光軸の方向が変えられたＲ光、Ｇ光及びＢ光がそれぞれ第１、第２及び第３のライトバルブに入射される。したがって、前述した従来の投射型表示装置と同様に、各色光は色分解前に予め前記偏光装置により偏光の純度が高められた後にそれぞれ第１、第２及び第３のライトバルブに入射することになるので、ライトバルブへ入射する光の偏光の純度が高まり投射像のコントラストが向上する。そして、前記第３の態様では、少なくとも第１、第２及び第３のライトバルブの直前の折り曲げミラーとして偏光ミラーが用いられていることから、全ての色光に関して、当該各色光が偏光ミラーである折り曲げミラーを経由した後にライトバルブに入射することになるので、全ての色光は、前記偏光装置により一旦偏光の純度が高められた後にたとえその偏光状態が色分解光学系等により乱されたとしても、再び当該折り曲げミラーにより偏光の純度が高められてからライトバルブに入射されることとなる。このため、前述した従来の投射型表示装置に比べて、ライトバルブへ入射する光の純度が一層高まり、投射像のコントラストが一層向上する。前記偏光ミラーは、例えば、ガラス基板と誘電体多層膜とにより構成することができるので、それ自体高価でないとともに占有空間が極めて少ないものであり、しかも、前記第３の態様においても、そもそも投射型表示装置が有している折り曲げミラーとして偏光ミラーが用いられているので、前述した従来の投射型表示装置と比べて、コストアップ及び装置の大型化を招くことがない。
【００１６】
なお、本発明では、各色光毎に複数の折り曲げミラーのうちのライトバルブ直前の折り曲げミラーとして偏光ミラーでなく単なる反射機能を有するミラーを用いるとともに、当該複数の折り曲げミラーのうちの例えば色分解直後の折り曲げミラーとして偏光ミラーを用いてもよい。しかし、その場合には、ライトバルブ直前の折り曲げミラーとして誘電体多層膜を用いたミラーを採用するようなときには、せっかく色分解直後の偏光ミラーで偏光の純度を高めてもライトバルブ直前の折り曲げミラーにてその純度が低下してしまうような事態が生ずることもある。この点、前記第３の態様では、少なくともライトバルブ直前の折り曲げミラーとして偏光ミラーが用いられているので、当該偏光ミラーにて高めたままの偏光の高純度がそのまま保持されたままで当該色光がライトバルブに入射されるので、好ましい。
【００１７】
本発明の第４の態様による投射型表示装置は、光源からの光を予備偏光分離する偏光装置と、前記偏光装置によって予備偏光分離された光をＲ光、Ｇ光及びＢ光に色分解する色分解光学系と、前記色分解光学系によって色分解されたＲ光、Ｇ光及びＢ光をそれぞれ反射させてそれらの光軸の方向をそれぞれ変える各色光毎に複数の折り曲げミラーと、前記各色光毎に複数の折り曲げミラーによって光軸の方向が変えられたＲ光、Ｇ光及びＢ光をそれぞれ変調する第１、第２及び第３のライトバルブと、前記第１、第２及び第３のライトバルブによってそれぞれ変調されたＲ光、Ｇ光及びＢ光を色合成する色合成光学系と、前記色合成光学系によって色合成された光を投射する投射光学系と、を備え、前記各色光毎に複数の折り曲げミラーは、入射光の偏光の純度より反射光の偏光の純度を高くする特性を有するミラーであるものである。
【００１８】
この第４の態様では、光源からの光が、偏光装置により予備偏光された後に、色分解光学系によりＲ光、Ｇ光及びＢ光に色分解される。これらの色分解されたＲ光、Ｇ光及びＢ光がそれぞれ、複数の折り曲げミラーによって、複数回反射されてその光軸の方向が複数回変えられる。そして、このように光軸の方向が変えられたＲ光、Ｇ光及びＢ光がそれぞれ第１、第２及び第３のライトバルブに入射される。したがって、前述した従来の投射型表示装置と同様に、各色光は色分解前に予め前記偏光装置により偏光の純度が高められた後にそれぞれ第１、第２及び第３のライトバルブに入射することになるので、ライトバルブへ入射する光の偏光の純度が高まり投射像のコントラストが向上する。そして、前記第４の態様では、当該複数の折り曲げミラーとして偏光ミラーが用いられていることから、全ての色光に関して、当該各色光が偏光ミラーである折り曲げミラーを経由した後にライトバルブに入射することになるので、全ての色光は、前記偏光装置により一旦偏光の純度が高められた後にたとえその偏光状態が色分解光学系等により乱されたとしても、再び当該複数の折り曲げミラーにより複数回偏光の純度が高められてからライトバルブに入射されることとなる。このため、前述した従来の投射型表示装置に比べて、ライトバルブへ入射する光の純度が一層高まり、投射像のコントラストが一層向上する。前記偏光ミラーは、例えば、ガラス基板と誘電体多層膜とにより構成することができるので、それ自体高価でないとともに占有空間が極めて少ないものであり、しかも、前記第４の態様においても、そもそも投射型表示装置が有している折り曲げミラーとして偏光ミラーが用いられているので、前述した従来の投射型表示装置と比べて、コストアップ及び装置の大型化を招くことがない。
【００１９】
本発明の第５の態様による投射型表示装置は、光源からの光を予備偏光分離する偏光装置と、前記偏光装置によって予備偏光分離された光をＲ光、Ｇ光及びＢ光に色分解する色分解光学系と、前記色分解光学系によって色分解されたＲ光、Ｇ光及びＢ光をそれぞれ反射させてそれらの光軸の方向をそれぞれ変える各色光毎に１つ以上の折り曲げミラーと、前記Ｒ光、Ｇ光及びＲ光にそれぞれ対応して設けられた第１、第２及び第３の偏光ビームスプリッタと、第１、第２及び第３の反射型ライトバルブと、色合成光学系と、投射光学系と、を備え、前記第１、第２及び第３の偏光ビームスプリッタは、前記各色光毎に１つ以上の折り曲げミラーによって光軸の方向が変えられたＲ光、Ｇ光及びＢ光をそれぞれ２つの偏光光に偏光分離し、前記第１、第２及び第３の反射型ライトバルブは、前記第１、第２及び第３の偏光ビームスプリッタによって偏光分離されたＲ光、Ｇ光及びＢ光の一方の偏光光をそれぞれ変調し、前記第１、第２及び第３の偏光ビームスプリッタは、前記第１、第２及び第３の反射型ライトバルブによってそれぞれ変調されたＲ光、Ｇ光及びＢ光をそれぞれ検光し、前記色合成光学系は、前記第１、第２及び第３の偏光ビームスプリッタによって検光されたＲ光、Ｇ光及びＢ光を色合成し、前記投射光学系は、前記色合成光学系によって色合成された光を投射し、前記各色光毎に１つ以上の折り曲げミラーは、入射光の偏光の純度より反射光の偏光の純度を高くする特性を有するミラーであるものである。
【００２０】
この第５の態様は、前記第１の態様において第１、第２及び第３のライトバルブとして反射型ライトバルブを用いた具体例である。もっとも、前記第１乃至第４の態様では、第１、第２及び第３のライトバルブは、反射型ライトバルブに限定されず、透過型ライトバルブであってもよい。
【００２１】
なお、本発明においては、前記予備偏光分離を行う偏光装置として、前記特開平５−１５７９１５号公報に開示されているような偏光装置を用いてもよいし、偏光ビームスプリッタを用いてもよいし、その他の任意の偏光装置を用いてもよい。
【００２２】
また、本発明において用いる、反射光を直線偏光光に近づける偏光特性を有するミラーは、当該ミラーに入射する色光の波長領域の略全体に渡って、所定入射角度で入射するＳ偏光光の反射率が９０％以上であるとともに、前記所定入射角度で入射するＰ偏光光の反射率が前記所定入射角度で入射するＳ偏光光の反射率より１５％以上下がっているものであることが好ましい。このようなミラーは、例えば、ガラス基板と、該ガラス基板上に積層された誘電体多層膜とを備えた構成とすることができる。このような基本構成は、従来のダイクロイックミラーと同様であるが、誘電体多層膜の各層の厚さ等を変えることにより前述したような特性を得ることができる。従来のダイクロイックミラーは、高反射率の波長領域においてＳ偏光光の反射率とＰ偏光光の反射率とがほぼ同じであり、反射光を直線偏光に近づける偏光特性を実質的に有していない。なお、本発明において用いる、反射光を直線偏光光に近づける偏光特性を有するミラーは、反射波長選択性を有するダイクロイックミラーであってもよい。
【００２３】
【発明の実施の形態】
（ミラーの第１の例）
本発明による投射型表示装置において用いられるミラーの第１の例について、図５及び図６を参照して説明する。
【００２４】
図５は、本例によるミラーの断面構造を模式的に示す図である。図６は、図５に示すミラーの反射特性を示す図である。
【００２５】
本例によるミラーは、入射角度４５度で入射する光に対して最適化したＢ光用のミラーの例であり、図５に示すように、屈折率ｎ＝１．５２の透明ガラス基板と、該ガラス基板の片面（入射面）に積層された誘電体多層膜とから構成されている。この誘電体多層膜は、図５に示すように、高屈折率物質Ｈ１としての酸化ジルコン（ＺｒＯ2：屈折率ｎ＝２．０５）からなる層と、低屈折率物質Ｌ１としての二酸化珪素（ＳｉＯ2：屈折率ｎ＝１．４７）からなる層とを、それぞれ図５に示す膜厚で交互に計１８層積層して形成したものである。
【００２６】
図６は、図５に示すミラーの入射角度４５度における反射特性を示している。図６において、実線はＳ偏光光の反射率を示し、破線はＰ偏光光の反射率を示している（後述する図８、図１０、図１２、図１４、図１６、図１８も同様）。図６からわかるように、図５に示すミラーでは、入射角度４５度で入射する光に関して、Ｂ光波長領域（４００ｎｍ〜５００ｎｍ）の略全体に渡って、Ｓ偏光光の反射率が９５％以上であり、Ｐ偏光光の反射率はＳ偏光光の反射率より約２０％低い値を示しており、Ｂ光波長領域において反射光を直線偏光光に近づける偏光特性を有していることが理解できる。なお、図６からわかるように、図５に示すミラーは、反射波長選択性を有するダイクロイックミラーとなっている。
【００２７】
（ミラーの第２の例）
本発明による投射型表示装置において用いられるミラーの第２の例について、図７及び図８を参照して説明する。
【００２８】
図７は、本例によるミラーの断面構造を模式的に示す図である。図８は、図７に示すミラーの反射特性を示す図である。
【００２９】
本例によるミラーは、入射角度６５度で入射する光に対して最適化したＢ光用のミラーの例であり、図７に示すように、屈折率ｎ＝１．５２の透明ガラス基板と、該ガラス基板の片面（入射面）に積層された誘電体多層膜とから構成されている。この誘電体多層膜は、図７に示すように、高屈折率物質Ｈ１としての酸化ジルコン（ＺｒＯ2：屈折率ｎ＝２．０５）からなる層と、低屈折率物質Ｌ１としての二酸化珪素（ＳｉＯ2：屈折率ｎ＝１．４７）からなる層とを、それぞれ図７に示す膜厚で交互に計１４層積層して形成したものである。図７中の誘電体多層膜と図５中の誘電体多層膜とは、膜を構成する各物質Ｈ１，Ｌ１は同じであるが、その膜厚及び層数が異なっている。
【００３０】
図８は、図７に示すミラーの入射角度６５度における反射特性を示している。図８からわかるように、図７に示すミラーでは、Ｂ光波長領域の略全体に渡って、Ｓ偏光光の反射率が９５％以上の良好な反射率であり、Ｐ偏光光の反射率はＳ偏光光の反射率より５０％近く反射率が落ちており、図５に示す前記第１の例による４５度入射用のミラーよりも優れた偏光分離特性を有していることが理解できる。なお、図８からわかるように、図７に示すミラーも、反射波長選択性を有するダイクロイックミラーとなっている。
【００３１】
（ミラーの第３の例）
本発明による投射型表示装置において用いられるミラーの第３の例について、図９及び図１０を参照して説明する。
【００３２】
図９は、本例によるミラーの断面構造を模式的に示す図である。図１０は、図９に示すミラーの反射特性を示す図である。
【００３３】
本例によるミラーは、入射角度４５度で入射する光に対して最適化したＧ光用のミラーの例であり、図９に示すように、屈折率ｎ＝１．５２の透明ガラス基板と、該ガラス基板の片面（入射面）に積層された誘電体多層膜とから構成されている。この誘電体多層膜は、図９に示すように、高屈折率物質Ｈ１としての酸化ジルコン（ＺｒＯ2：屈折率ｎ＝２．０５）からなる層と、低屈折率物質Ｌ１としての二酸化珪素（ＳｉＯ2：屈折率ｎ＝１．４７）からなる層とを、それぞれ図９に示す膜厚で交互に計１８層積層して形成したものである。
【００３４】
図１０は、図９に示すミラーの入射角度４５度における反射特性を示している。図１０からわかるように、図９に示すミラーでは、Ｇ光波長領域の略全体に渡って、Ｓ偏光光の反射率が９５％以上であり、Ｐ偏光光の反射率はＳ偏光光の反射率より約２０％低い値を示しており、Ｇ光波長領域において反射光を直線偏光光に近づける偏光特性を有していることが理解できる。なお、図１０からわかるように、図９に示すミラーも、反射波長選択性を有するダイクロイックミラーとなっている。
【００３５】
前記第２の例と同様に、誘電体多層膜を構成する高屈折率物質Ｈ１及び低屈折率物質Ｌ１として本例と同じ物質を使用して層数及び膜厚を変えることにより入射角度６５度で入射する光に対して最適化したＧ光用のミラーを作製することができ、その偏光特性はＧ光波長領域において本例によるミラーよりも優れている。
【００３６】
（ミラーの第４の例）
本発明による投射型表示装置において用いられるミラーの第４の例について、図１１及び図１２を参照して説明する。
【００３７】
図１１は、本例によるミラーの断面構造を模式的に示す図である。図１２は、図１１に示すミラーの反射特性を示す図である。
【００３８】
本例によるミラーは、入射角度４５度で入射する光に対して最適化したＲ光用のミラーの例であり、図１１に示すように、屈折率ｎ＝１．５２の透明ガラス基板と、該ガラス基板の片面（入射面）に積層された誘電体多層膜とから構成されている。この誘電体多層膜は、図１１に示すように、高屈折率物質Ｈ１としての酸化ジルコン（ＺｒＯ2：屈折率ｎ＝２．０５）からなる層と、低屈折率物質Ｌ１としての二酸化珪素（ＳｉＯ2：屈折率ｎ＝１．４７）からなる層とを、それぞれ図１１に示す膜厚で交互に計１８層積層して形成したものである。
【００３９】
図１２は、図１１に示すミラーの入射角度４５度における反射特性を示している。図１２からわかるように、図１１に示すミラーでは、Ｒ光波長領域（６００ｎｍ〜７００ｎｍ）の略全体に渡って、Ｓ偏光光の反射率が９５％以上であり、Ｐ偏光光の反射率はＳ偏光光の反射率より約２０％低い値を示しており、Ｇ光波長領域において反射光を直線偏光光に近づける偏光特性を有していることが理解できる。なお、図１２からわかるように、図１１に示すミラーも、反射波長選択性を有するダイクロイックミラーとなっている。
【００４０】
前記第２の例と同様に、誘電体多層膜を構成する高屈折率物質Ｈ１及び低屈折率物質Ｌ１として本例と同じ物質を使用して層数及び膜厚を変えることにより入射角度６５度で入射する光に対して最適化したＲ光用のミラーを作製することができ、その偏光特性はＲ光波長領域において本例によるミラーよりも優れている。
【００４１】
（ミラーの第５の例）
本発明による投射型表示装置において用いられるミラーの第５の例について、図１３及び図１４を参照して説明する。
【００４２】
図１３は、本例によるミラーの断面構造を模式的に示す図である。図１４は、図１３に示すミラーの反射特性を示す図である。
【００４３】
本例によるミラーは、入射角度４５度で入射する光に対して最適化したＧ光用のミラーの例であり、図１３に示すように、屈折率ｎ＝１．５２の透明ガラス基板と、該ガラス基板の片面（入射面）に積層された誘電体多層膜とから構成されている。この誘電体多層膜は、図１３に示すように、高屈折率物質Ｈ２としての二酸化チタン（ＴｉＯ2：屈折率ｎ＝２．２５）からなる層と、低屈折率物質Ｌ１としての二酸化珪素（ＳｉＯ2：屈折率ｎ＝１．４７）からなる層とを、それぞれ図１３に示す膜厚で交互に計１５層積層して形成したものである。図１３中の誘電体多層膜は、図５、図７、図９及び図１１にそれぞれ示す誘電体多層膜と異なり、高屈折率物質として酸化ジルコンに代えて二酸化チタンが用いられている。
【００４４】
図１４は、図１３に示すミラーの入射角度４５度における反射特性を示している。図１４からわかるように、図１３に示すミラーでは、Ｇ光波長領域の略全体に渡って、Ｓ偏光光の反射率が９５％以上であり、Ｐ偏光光の反射率はＳ偏光光の反射率より約２０％低い値を示しており、Ｇ光波長領域において反射光を直線偏光光に近づける偏光特性を有していることが理解できる。
【００４５】
前記第２の例と同様に、誘電体多層膜を構成する高屈折率物質Ｈ２及び低屈折率物質Ｌ１として本例と同じ物質を使用して層数及び膜厚を変えることにより入射角度６５度で入射する光に対して最適化したＧ光用のミラーを作製することができ、その偏光特性はＧ光波長領域において本例によるミラーよりも優れている。
【００４６】
（ミラーの第６の例）
本発明による投射型表示装置において用いられるミラーの第６の例について、図１５及び図１６を参照して説明する。
【００４７】
図１５は、本例によるミラーの断面構造を模式的に示す図である。図１６は、図１５に示すミラーの反射特性を示す図である。
【００４８】
本例によるミラーは、入射角度４５度で入射する光に対して最適化したＲ光用のミラーの例であり、図１５に示すように、屈折率ｎ＝１．５２の透明ガラス基板と、該ガラス基板の片面（入射面）に積層された誘電体多層膜とから構成されている。この誘電体多層膜は、図１５に示すように、高屈折率物質Ｈ１としての酸化ジルコニウム（ＺｒＯ2：屈折率ｎ＝２．０５）からなる層と、低屈折率物質Ｌ２としてのフッ化マグネシウム（ＭｇＦ2：屈折率ｎ＝１．３８）からなる層とを、それぞれ図１５に示す膜厚で交互に計１５層積層して形成したものである。図１５中の誘電体多層膜は、図５、図７、図９及び図１１にそれぞれ示す誘電体多層膜と異なり、低屈折率物質として二酸化珪素に代えてフッ化マグネシウムが用いられている。
【００４９】
図１６は、図１５に示すミラーの入射角度４５度における反射特性を示している。図１６からわかるように、図１５に示すミラーでは、Ｒ光波長領域の略全体に渡って、Ｓ偏光光の反射率が９５％以上であり、Ｐ偏光光の反射率はＳ偏光光の反射率より約２０％低い値を示しており、Ｒ光波長領域において反射光を直線偏光光に近づける偏光特性を有していることが理解できる。
【００５０】
前記第２の例と同様に、誘電体多層膜を構成する高屈折率物質Ｈ１及び低屈折率物質Ｌ２として本例と同じ物質を使用して層数及び膜厚を変えることにより入射角度６５度で入射する光に対して最適化したＲ光用のミラーを作製することができ、その偏光特性はＲ光波長領域において本例によるミラーよりも優れている。
【００５１】
（ミラーの第７の例）
本発明による投射型表示装置において用いられるミラーの第７の例について、図１７及び図１８を参照して説明する。
【００５２】
図１７は、本例によるミラーの断面構造を模式的に示す図である。図１８は、図１７に示すミラーの反射特性を示す図である。
【００５３】
本例によるミラーは、入射角度５４．６度で入射する光に対して最適化したＢ光用のミラーの例であり、図１７に示すように、屈折率ｎ＝１．５２の透明ガラス基板と、該ガラス基板の片面（入射面）に積層された誘電体多層膜とから構成されている。この誘電体多層膜は、図１７に示すように、高屈折率物質Ｈ１としての酸化ジルコン（ＺｒＯ2：屈折率ｎ＝２．０５）からなる層と、低屈折率物質Ｌ１としての二酸化珪素（ＳｉＯ2：屈折率ｎ＝１．４７）からなる層とを、それぞれ図１７に示す膜厚で交互に計１８層積層して形成したものである。
【００５４】
図１８は、図１７に示すミラーの入射角度５４．６度における反射特性を示している。図１８からわかるように、図１７に示すミラーでは、Ｂ光波長領域の略全体に渡って、Ｓ偏光光の反射率が９５％以上であり、Ｐ偏光光の反射率はＳ偏光光の反射率より約３０％低い値を示しており、Ｂ光波長領域において反射光を直線偏光光に近づける偏光特性を有していることが理解できる。
【００５５】
なお、誘電体多層膜を構成する高屈折率物質Ｈ１及び低屈折率物質Ｌ１として本例と同じ物質を使用して層数及び膜厚を変えることにより、入射角度５４．６度で入射する光に対して最適化したＲ光用のミラー及びＧ光用のミラーも作製することができる。
【００５６】
前述した第１乃至第７の例のように、ガラス基板上に、高屈折率物質及び低屈折率物質を交互に積層してなる誘電体多層膜を形成することによって、反射光に偏光分離特性を持たせたミラー（すなわち、反射光を直線偏光光に近づける偏光特性を有するミラー）を作製することができ、このミラーに所定の入射角度にて所定波長領域の光を入射させれば、反射光として偏光分離された光を取り出すことができる。
【００５７】
以上、各例によるミラーについて説明したが、本発明による投射型表示装置において使用し得るミラーはこれらの例に限定されるものではない。
【００５８】
（第１の実施の形態）
次に、前述したミラーを使用した本発明の第１の実施の形態による投射型表示装置について、図１を参照して説明する。
【００５９】
図１は、本実施の形態による投射型表示装置を示す概略構成図である。説明の便宜上、図に示すように互いに直交するＸ軸、Ｙ軸、Ｚ軸を定義する。
【００６０】
本実施の形態による投射型表示装置では、図１に示すように、−Ｚ方向に進行する図示しない光源から発せられた白色光源光は、図示しない赤外線吸収フィルター及び紫外線吸収フィルターを経由して、偏光装置２に入射される。当該偏光装置２は、前述した特開平５−１５７９１５号公報に開示されている偏光装置と同様に、ガラス基板の両面に当該ガラス基板の屈折率より高い屈折率を有する誘電体（例えばＴｉＯ2、ＺｒＯ2等の屈折率２以上の物質）を両面に形成した構造の部材をジグザグ形状に構成し、各部材は光軸に対し略ブリュスター角（約７２度）になるように配置した部材２−１，２−２，２−３から構成される。これらに入射した光源光は、当該偏光装置２を構成する各部材２−１，２−２，２−３によって反射される疑似第２偏光光（偏光装置２の構成部材の面に対してはＳ偏光光。なお、「疑似」と呼ぶのは、完全な直線偏光光でないためである。）と透過する疑似第１偏光光（偏光装置２の構成部材の面に対してはＰ偏光光）とに偏光分離作用を受ける。図１に示すような構成に偏光装置２を配置した場合、−Ｚ方向に透過した疑似第１偏光光は、その主成分の振動方向がＸＺ平面と平行な方向である偏光光となっている。
【００６１】
偏光装置２を透過して出射した疑似第１偏光光は、色分解光学系を構成するクロスダイクロイックミラー３に入射される。クロスダイクロイックミラー３は、Ｂ光を反射してＲ光及びＧ光を透過させる特性のダイクロイック膜を板ガラス基板上に構成したＢ光反射ダイクロイックミラー３Ｂと、Ｒ光を反射してＢ光及びＲ光を透過する特性のダイクロイック膜を板ガラス基板上に構成したＲ光反射ダイクロイックミラー３Ｒとを互いに直交するようにＸ型に配置したものであり、各ミラー３Ｂ，３Ｒは入射角度が４５度となるように配置されている。クロスダイクロイックミラー３に−Ｚ方向に入射した疑似第１偏光光は、−Ｘ方向に進行するＲ光と、Ｘ方向に進行するＢ光と、クロスダイクロイックミラー３をそのまま透過して−Ｚ方向に進行するＧ光とに色分解される。
【００６２】
この構成のクロスダイクロイックミラー３においては、入射する疑似第１偏光光は当該ミラー３によって前述したように色分解されるわけであるが、色分解されて出射される各色光は、偏光状態が乱され、前記ミラー３に入射する偏光光と比較して偏光の純度（Ｐ偏光とＳ偏光との比）が低下する。特に、反射されて色分解されるＲ光及びＢ光は、透過するＧ光に比して、その純度が低下する。
【００６３】
クロスダイクロイックミラー１３によって色分解されたＲ光、Ｇ光、Ｂ光は、それぞれ折り曲げミラー４Ｒ，４Ｇ，４Ｂにて反射されて光軸をそれぞれ−Ｙ方向に変えて進行する。なお、折り曲げミラー４Ｒ，４Ｇ，４Ｂとして通常の誘電体多層膜ミラーが用いられており、当該ミラー４Ｒ，４Ｇ，４Ｂにて反射されることにより、各色光とも偏光の純度が更に低下する。
【００６４】
反射折り曲げミラー４Ｒ，４Ｇ，４Ｂによって反射された各色光はそれぞれ、反射光を直線偏光光に近づける偏光特性を有するミラーを採用した折り曲げミラー５Ｒ，５Ｇ，５Ｂによって反射され、光軸を折り曲げて、Ｒ光はＸ方向に、Ｇ光はＺ方向に、Ｂ光は−Ｘ方向にそれぞれ進行してライトバルブ７Ｒ，７Ｇ，７Ｂにそれぞれ入射される。本実施の形態においては、折り曲げミラー５Ｒ，５Ｇ，５Ｂには各色光が入射角度４５度にて入射されるので、折り曲げミラー５Ｒ，５Ｇ，５Ｂとして、前述した各例によるミラーのうち、入射角度４５度にて入射する光に対して最適化したミラーが採用されている。具体的には、折り曲げミラー５Ｒとして図１１又は図１５に示すミラーを採用することができ、折り曲げミラー５Ｇとして図９又は図１３に示すミラーを採用することができ、折り曲げミラー５Ｂとして図５に示すミラーを採用することができる。
【００６５】
このように前述した各例によるミラーが採用された折り曲げミラー５Ｒ，５Ｇ，５Ｂにはクロスダイクロイックミラー３によって色分解されたＲ光、Ｇ光、Ｂ光がそれぞれ入射角度４５度にて入射され、前述した各例にて述べた偏光分離特性を含む反射特性に従って反射される。折り曲げミラー５Ｒ，５Ｇ，５Ｂは、このように偏光の純度を向上させて反射させる効果を有するために、純度の良い第１偏光として反射させることができ、前記クロスダイクロイックミラー３及び折り曲げミラー４Ｒ，４Ｇ，４Ｂによって偏光状態が乱されて低下した偏光の純度を向上させることができることになる。第１偏光は、前記偏光装置２を透過する偏光方向（当該偏光装置２からみればＰ方向）であるが、クロスダイクロイックミラー３からみれば同様にＰ方向であり、折り曲げミラー４Ｒ，４Ｂ，４Ｇ及び偏光分離機能を有する折り曲げミラー５Ｒ，５Ｂ，５Ｇの反射面からみるとＳ方向となる。
【００６６】
偏光分離機能を有する折り曲げミラー５Ｒ，５Ｂ，５Ｇにより反射された各色光は、各色毎に配置された透過型ライトバルブ７Ｒ，７Ｂ，７Ｇにそれぞれ入射される。
【００６７】
ここで、透過型ライトバルブについて説明する。透過型ライトバルブは、例えば、液晶パネルと、当該液晶パネルの入射側及び出射側の両側に配置されクロスニコルを形成する偏光板とを備え、前記偏光板間に前記液晶パネルを挟み込んだ構成としたものである。前記液晶パネルは、例えば、各画素毎にＴＦＴを有し、当該ＴＦＴをスイッチングすることにより、ＴＦＴから連結された前記画素を構成する透明電極と対抗電極との間に配置された変調層を構成する液晶層間に電圧を印加させる構造を有する。液晶層間の電圧の有無によって液晶分子の配列を変化させ、入射側の偏光板を介して当該液晶パネルに入射する直線偏光の振動方向を９０度回転させて出射させるか、そのままの方向で出射させるかによって変調を行う機能を有する。前記液晶パネルは偏光板にて挟まれてライトバルブを構成しているが、ライトバルブに入射した光は、入射側に配置した偏光板によって直線偏光となり、当該直線偏光は、前記液晶層電圧が印加されていない場合は、配向層に倣ってねじれ構造を有している液晶分子にて旋光作用を受けて偏光方向を９０度変換して出射され、出射側偏光板を透過してライトバルブを出射する。一方、前記液晶層に電圧が印加されている場合には液晶分子が電界方向に配列するために、前記液晶パネルに入射した直線偏光光はそのまま当該液晶パネルを透過し、出射側偏光板にて吸収される。以上が透過型ライトバルブの変調機能である。
【００６８】
さて、偏光分離機能を有する前記折り曲げミラー５Ｒ，５Ｇ，５Ｂにて反射された各色光は、各色光毎に配置された前記透過型ライトバルブ７Ｒ，７Ｇ，７Ｂに入射されて、前述の機能に従って各色信号によって変調されて当該透過型ライトバルブ７Ｒ，７Ｇ，７Ｂから出射される。出射される変調光は、ライトバルブ７Ｒ，７Ｇ，７Ｂに入射する前記第１偏光光の振動方向と９０度振動方向が回転した第２偏光光となる。
【００６９】
各色光用ライトバルブ７Ｒ，７Ｇ，７Ｂを出射した変調光は、色合成光学系を構成するクロスダイクロイックプリズム６にそれぞれ異なる方向に、すなわちＲ光はＸ方向に、Ｇ光はＺ方向に、Ｂ光は−Ｘ方向に入射される。
【００７０】
クロスダイクロイックズム６は、各側面に形成されたＲ光反射ダイクロイック膜６ＲとＢ光反射ダイクロイック膜６Ｂとが互いに直交してＸ型となるように４個の直角二等辺三角形プリズムを、接着剤で貼り合わせて組み合わせた構造を有している。
【００７１】
ライトバルブ７ＲをＸ方向に透過してクロスダイクロイックプリズム６に入射したＲ光は、Ｒ光反射ダイクロイック膜６Ｒによって反射され、光軸をＺ方向に変え、当該プリズム６からＺ方向に出射される。ライトバルブ７ＲをＺ方向に透過してクロスダイクロイックプリズム６に入射したＧ光は、ダイクロイック膜６Ｒ，６Ｂを透過して、当該プリズム６からそのままＺ方向に出射される。ライトバルブ７Ｂを−Ｘ方向に透過してクロスダイクロイックプリズム６に入射したＢ光は、Ｂ光反射ダイクロイック膜６Ｂによって反射され、光軸をＺ方向に変え、当該プリズム６からＺ方向に出射される。
【００７２】
以上により、各色光用ライトバルブ７Ｒ，７Ｇ，７Ｂにて変調された各色光は、クロスダイクロイックプリズム６にて色合成され、当該合成光は、クロスダイクロイックプリズム６からＺ方向に出射されることになる。なお、ダイクロイックプリズム６に入射する各色光は前述したように第２偏光であるが、この偏光の振動方向は、ダイクロイックプリズム６のダイクロイック膜６Ｒ，６Ｂに対してＳ方向に入射されることとなる。これはダイクロイック膜の反射特性としては理想的な偏光の振動方向である。
【００７３】
そして、クロスダイクロイックプリズム６から出射された合成光は、投射光学系としての投射レンズ（図示せず）に入射され、スクリーン（図示せず）上にフルカラーの投射像として投射される。
【００７４】
以上のように、本実施の形態による投射型表示装置によれば、クロスダイクロイックミラー３及び折り曲げミラー４Ｒ，４Ｇ，４Ｂによって偏光の純度が低下しても、ライトバルブ７Ｒ，７Ｇ，７Ｂに入射する直前の折り曲げミラー５Ｒ，５Ｇ，５Ｂとして前述した各例の偏光分離機能を有するミラーを使用することにより、偏光の純度を再度高めて良好なものにしてライトバルブ７Ｒ，７Ｇ，７Ｂに入射させることができることから、従来の投射型表示装置と比べて格段にコントラストが良好な投射像を投射することができる。
【００７５】
なお、本実施の形態においては、色分解光学系を構成しているクロスダイクロイックミラー３にて色分解された各色光を反射させる折り曲げミラー４Ｇ，４Ｒ，４Ｂとして、通常の誘電体多層膜ミラーを用いているが、これらのミラー４Ｇ，４Ｒ，４Ｂとして例えば金属ミラーを使用してもよい。金属ミラーの場合は、それによる反射光の偏光の乱れが実質的に生じないが、誘電体多層膜ミラーに比べて反射率が低いという欠点がある。折り曲げミラー４Ｇ，４Ｒ，４Ｂとして前記金属ミラーを使用すると、クロスダイクロイックミラー３を透過してきたＧ光は、Ｒ光及びＢ光に比して偏光の純度はあまり乱れてこないので、折り曲げミラー５Ｇとして、前述した各例の偏光分離機能を有するミラーを使用せずに通常のミラーを用いてもよい。
【００７６】
また、本実施の形態においては各色光が各ライトバルブ７Ｒ，７Ｇ，７Ｂに入射する直前の折り曲げミラー５Ｒ，５Ｇ，５Ｂにのみ前述した各例によるミラーを使用していたが、本実施の形態のように色分解した後において各色光に関してそれぞれ２つの折り曲げミラー４Ｒ，５Ｒ，４Ｇ，５Ｇ，４Ｂ，５Ｂを介在させる構成を有する投射型表示装置においては、各色光に関する当該２つの折り曲げミラー４Ｒ，５Ｒ，４Ｇ，５Ｇ，４Ｂ，５Ｂとして両方とも前述した各例によるミラーを使用してもよい。この場合には、最初の折り曲げミラー４Ｒ，４Ｇ，４Ｂによって反射された各色の反射光はＳ偏光の純度の高い偏光光となるが、最初の折り曲げミラー４Ｒ，４Ｇ，４Ｂに対するＳ方向と２度目の反射を行う折り曲げミラー５Ｒ，５Ｇ，５Ｂに対するＳ方向とがそれぞれ一致するので、各色光のＳ偏光光は前述した各例による２つのミラーの偏光分離特性を重畳して受けることとなり、更に一層純度の良好な直線偏光光をライトバルブ７Ｒ，７Ｇ，７Ｂに入射させることができることとなり、更に良好なコントラストを有する投射像を得ることができる。
【００７７】
（第２の実施の形態）
次に、前述したミラーを使用した本発明の第２の実施の形態による投射型表示装置について、図２を参照して説明する。
【００７８】
図２は、本実施の形態による投射型表示装置を示す概略構成図である。説明の便宜上、図に示すように互いに直交するＸ軸、Ｙ軸、Ｚ軸を定義する。
【００７９】
前記第１の実施の形態による投射型表示装置が透過型ライトバルブを使用した投射型表示装置であったのに対し、本実施の形態による投射型表示装置は光書き込み式あるいは電気書き込み式の反射型ライトバルブを用いた投射型表示装置である。
【００８０】
本実施の形態による投射型表示装置では、図２に示すように、Ｙ方向に進行する図示しない光源から発せられた白色光源光は、図示しない赤外線吸収フィルター及び紫外線吸収フィルターを経由して、偏光装置１２に入射される。当該偏光装置１２は、ガラス基板片面または両面に当該ガラス基板より屈折率の大きい膜を形成した部材を複数枚（本実施の形態では部材１２−１，１２−２，１２−３の３枚）入射軸（Ｙ軸）に対して略ブリュスター角（７２度程度）になるように配置したものである。なお、本実施の形態では、各部材１２−１，１２−２，１２−３は、ジグザグ状には構成されておらず、平板状に構成されている。本実施の形態のように図２に示す配置では、当該偏光装置１２の透過光は、大部分第１偏光（Ｐ偏光）となってダイクロイックミラー１３に入射される。
【００８１】
偏光装置１２を透過して出射した疑似第１偏光光は、色分解光学系を構成するクロスダイクロイックミラー１３に入射される。クロスダイクロイックミラー１３は、Ｂ光反射ダイクロイックミラー１３ＢとＲ光反射ダイクロイックミラー１３Ｒとを互いに直交するようにＸ型に配置したものであり、各ミラー１３Ｂ，１３Ｒは入射角度が４５度となるように配置されている。クロスダイクロイックミラー１３にＹ方向に入射した疑似第１偏光光は、−Ｘ方向に進行するＲ光と、Ｘ方向に進行するＢ光と、クロスダイクロイックミラー１３をそのまま透過してＹ方向に進行するＧ光とに色分解される。
【００８２】
この構成のクロスダイクロイックミラー１３においては、入射する疑似第１偏光光は当該ミラー１３によって前述したように色分解されるわけであるが、色分解されて出射される各色光は、偏光状態が乱され、前記ミラー１３に入射する偏光光と比較して偏光の純度（Ｐ偏光とＳ偏光との比）が低下する。特に、反射されて色分解されるＲ光及びＢ光は、透過するＧ光に比して、その純度が低下する。
【００８３】
クロスダイクロイックミラー１３によって色分解されたＲ光、Ｇ光、Ｂ光は、反射光を直線偏光光に近づける偏光特性を有するミラーを採用した折り曲げミラー１４Ｒ，１４Ｇ，１４Ｂにて反射されて光軸をそれぞれＺ方向に変え、各色光用の偏光ビームスプリッタ１５Ｒ，１５Ｇ，１５Ｂにそれぞれ入射される。本実施の形態では、折り曲げミラー１４Ｒ，１４Ｇ，１４Ｂには各色光が入射角度４５度にて入射されるので、折り曲げミラー１４Ｒ，１４Ｇ，１４Ｂとして、前述した各例によるミラーのうち、入射角度４５度にて入射する光に対して最適化したミラーが採用されている。具体的には、折り曲げミラー１４Ｒとして図１１又は図１５に示すミラーを採用することができ、折り曲げミラー１４Ｇとして図９又は図１３に示すミラーを採用することができ、折り曲げミラー１４Ｂとして図５に示すミラーを採用することができる。
【００８４】
このように前述した各例によるミラーが採用された折り曲げミラー１４Ｒ，１４Ｂ，１４Ｇにはクロスダイクロイックミラー３によって色分解されたＲ光、Ｇ光、Ｂ光がそれぞれ入射角度４５度にて入射され、前述した各例にて述べた偏光分離特性を含む反射特性に従って反射される。折り曲げミラー１４Ｒ，１４Ｂ，１４Ｇは、このように偏光の純度を向上させて反射させる効果を有するために、純度の良い第１偏光として反射させることができ、前記クロスダイクロイックミラー３によって偏光状態が乱されて低下した偏光の純度を向上させることができることになる。第１偏光は、前記偏光装置２を透過する偏光方向（当該偏光装置２からみればＰ方向）であるが、クロスダイクロイックミラー３からみれば同様にＰ方向であり、偏光機能を有する折り曲げミラー１４Ｒ，１４Ｂ，１４Ｇの反射面からみるとＳ方向となる。すなわち、折り曲げミラー１４Ｒ，１４Ｂ，１４Ｇ第１偏光の振動方向が当該ミラーに対してＳ方向となるように配置されており、反射光に対して偏光の純度の向上を担保する。
【００８５】
偏光分離機能を有するダイクロイックミラー１４Ｒ，１４Ｂ，１４Ｇによって偏光の純度を上げて反射されて光軸の方向を各色ともＺ方向に変えた各色光は、各色光用の偏光ビームスプリッタ１５Ｒ，１５Ｇ，１５Ｂにそれぞれ入射される。
【００８６】
ミラー１４Ｒ，１４Ｇ，１４Ｂに対する偏光のＳ方向がそれぞれ偏光ビームスプリッタ１５Ｒ，１５Ｇ，１５Ｂの偏光分離膜に対するＳ方向となるように、偏光ビームスプリッタ１５Ｒ，１５Ｇ，１５Ｂが配置されている。折り曲げミラー１４Ｒ，１４Ｇ，１４Ｂにてそれぞれ反射され偏光ビームスプリッタ１５Ｒ，１５Ｇ，１５ＢにそれぞれＺ方向に入射された各色光は、前述したようにＰ偏光成分よりＳ偏光成分を多く有しており、各偏光ビームスプリッタ１５Ｒ，１５Ｇ，１５Ｂによって、当該偏光ビームスプリッタ１５Ｒ，１５Ｇ，１５Ｂの偏光分離膜にて反射されて反射型ライトバルブ１６Ｒ，１６Ｇ，１６Ｂに入射されるＳ偏光光と、当該偏光ビームスプリッタ１５Ｒ，１５Ｇ，１５Ｂの偏光分離膜を透過してそれぞれ廃棄されるＰ偏光光とに偏光分離される。このように、偏光ビームスプリッタ１５Ｒ，１５Ｇ，１５Ｂの偏光分離特性を更に受けた各色のＳ偏光光がそれぞれライトバルブ１６Ｒ，１６Ｇ，１６Ｂに読み出し光として入射されるので、ライトバルブ１６Ｒ，１６Ｇ，１６Ｂにそれぞれ入射される各色のＳ偏光光の偏光の純度は更に高く良好なものとなる。
【００８７】
本実施の形態では、ライトバルブ１６Ｒ，１６Ｇ，１６Ｂとして、光書き込み式反射型ライトバルブが用いられている。ここで、光書き込み式の反射型液晶ライトバルブの構造及び機能について説明する。図面には示していないが、このライトバルブは、例えば、入射光側から順に配置された、透明ガラス基板、ＩＴＯ透明電極膜、液晶配向層、ＴＮ液晶層、液晶配向層、誘電体反射ミラー層、遮光層、水素化非晶質シリコン層等からなる光導電体層、ＩＴＯ透明電極層及び透明ガラス基板から構成されている。すなわち、入射光と反対側から書き込み光信号が入射すると、当該箇所の前記光導電体層はそのインピーダンスを減らすこととなり、前記両ＩＴＯ電極間に常時交流を印加させて当該素子を作動させることから、印加電圧が前記液晶間に印加され、液晶分子が電界方向に配列することによって液晶層自体が１／４波長板としての機能を有することとなる。一方、書き込み光信号がない場合は、当該箇所の前記光導電体層が高インピーダンスを有するために両ＩＴＯ電極間に印加された電圧は有効に液晶に印加されないこととなり、液晶層中の液晶分子は配列せず、液晶配向層に倣って配向し、ねじれ構造を構成する。以上の機能を有するために、書き込み光信号が入射された箇所においては、入射した直線偏光光（読み出し光）は液晶層を通過して円偏光となってミラー層により反射され、再度液晶層を通過して入射時と偏光方向が９０度変換されて出射される。つまり、入射光（読み出し光）がＳ偏光光である場合、Ｐ偏光光として出射される。書き込み光信号が入射されない箇所では、入射偏光光は液晶分子のねじれに倣って旋光し、反射層にて反射されて、再度ねじれに倣って旋光されて出射するので、入射光と同じ偏光で出射する。つまり、入射光（読み出し光）がＳ偏光光である場合、Ｓ偏光光として出射される。なお、図２では、ライトバルブ１６Ｒ，１６Ｇ，１６Ｂ用の書き込み光学系は図示を省略している。
【００８８】
以上が光書き込み式反射型ライトバルブの構造及び機能である。光書き込み式反射型ライトバルブは前記機能を有しているために、当該ライトバルブに入射する直線偏光光の偏光の純度が高ければ高いほど、コントラストの良好な投射像を得ることができることが理解できる。
【００８９】
さらに、本発明に係る投射型表示装置として使用するライトバルブは、前記の光書き込み式ライトバルブに限定される必要はなく、例えば同様に反射型ライトバルブであって電気信号によって非線形素子であるところのＴＦＴによってスイッチングをおこない、スイッチングされた画素の液晶変調層部分の配列を変化させることにより変調層として使用する構成の電気書き込み式ライトバルブを使用してもよい。この場合には、書き込み光学系が不要となり投射型表示装置の小型化に寄与することができる。
【００９０】
なお、ライトバルブ１６Ｒ，１６Ｇ，１６Ｂは、このような光書き込み式の反射型ライトバルブに限定されるものではなく、例えば、同様に反射型ライトバルブであって電気信号によって非線形素子であるところのＴＦＴによってスイッチングを行い、スイッチングされた画素の液晶変調層部分の配列を変化させることにより変調層として使用する構成の電気書き込み式反射型ライトバルブを使用することができることは言うまでもない。この場合には、光書き込み光学系が不要となり、装置の小型化に寄与することができる。
【００９１】
電気書き込み式反射型ライトバルブにおいても、同様に入射直線偏光光にはより高い偏光の純度が求められる。したがって、ライトバルブ１６Ｒ，１６Ｇ，１６Ｂとして電気書き込み式反射型ライトバルブを採用した場合においても、前述した例によるミラーを採用した折り曲げミラー１４Ｒ，１４Ｇ，１４Ｂを反射して偏光の純度が高まった各色光の偏光の純度を更に偏光ビームスプリッタ１５Ｒ，１５Ｇ，１５Ｂにてその消光比によって一段と高め、このようにして偏光の純度が高まったＳ偏光光をライトバルブ１６Ｒ，１６Ｇ，１６Ｂに入射させることができるために、良好なコントラストの光を当該ライトバルブ１６Ｒ，１６Ｇ，１６Ｂから出射することができる。
【００９２】
ライトバルブ１６Ｒ，１６Ｇ，１６Ｂにそれぞれ入射したＳ偏光のＲ光、Ｇ光、Ｂ光は、各色用の書き込み光に応じて変調を受けて反射されてそれぞれ変調光として各ライトバルブ１６Ｒ，１６Ｇ，１６Ｂから出射され、再び偏光ビームスプリッタ１５Ｒ，１５Ｇ，１５Ｂにそれぞれ入射される。前記各色の変調光には、前述した機能により、各色用の書き込み光に応じて選択された箇所のＰ偏光光と選択されていない箇所のＳ偏光光とが混ざっている。偏光ビームスプリッタ１５Ｒ，１５Ｇ，１５Ｂにそれぞれ入射された変調光は、当該偏光ビームスプリッタ１５Ｒ，１５Ｇ，１５Ｂによりそれぞれ検光される。すなわち、各色の変調光のうちのＰ偏光光のみが偏光ビームスプリッタ１５Ｒ，１５Ｇ，１５Ｂの偏光分離膜を透過して色合成光学系としてのクロスダイクロイックプリズム１７へ向けて進行し（つまり、検光され）、各色の変調光のうちのＳ偏光光は偏光ビームスプリッタ１５Ｒ，１５Ｇ，１５Ｂの偏光分離膜にて反射されて−Ｚ方向に廃棄される。
【００９３】
各偏光ビームスプリッタ１５Ｒ，１５Ｇ，１５Ｂから出射された各色の検光光は、前記色分解光学系としてのクロスダイクロイックミラー１３にて色分解された各色光の折り曲げミラー１４Ｒ，１４Ｇ，１４Ｂへの入射方向と逆方向に出射され、クロスダイクロイックプリズム１７から構成される色合成光学系に入射される。
【００９４】
クロスダイクロイックプリズム１７は、各側面に形成されたＲ光反射ダイクロイック膜１７ＲとＢ光反射ダイクロイック膜１７Ｂとが互いに直交してＸ型となるように４個の直角二等辺三角形プリズムを、接着剤で貼り合わせて組み合わせた構造を有している。
【００９５】
偏光ビームスプリッタ１５ＲからＸ方向に出射されてクロスダイクロイックプリズム１７に入射したＲ光の検光光は、Ｒ光反射ダイクロイック膜１７Ｒによって反射され、光軸を−Ｙ方向に変え、当該プリズム１７から−Ｙ方向に出射される。偏光ビームスプリッタ１５Ｂから−Ｘ方向に出射されてクロスダイクロイックプリズム１７に入射したＢ光の検光光は、Ｂ光反射ダイクロイック膜１７Ｂによって反射され、光軸を−Ｙ方向に変え、当該プリズム１７から−Ｙ方向に出射される。偏光ビームスプリッタ１５Ｇから−Ｙ方向に出射されてクロスダイクロイックプリズム１７に入射したＧ光の検光光は、ダイクロイック膜１７Ｒ，１７Ｇを透過して、当該プリズム１７からそのまま−Ｙ方向に出射される。各偏光ビームスプリッタ１５Ｒ，１５Ｇ，１５Ｂを出射した検光光はＰ偏光であるが、クロスダイクロイックプリズム１７のダイクロイック膜１７Ｒ，１７Ｂの面に対してはＳ方向に入射することとなる。したがって、ダイクロイック膜１７Ｒ，１７Ｂの面に対して理想的な振動方向の直線偏光光を入射させることができることになる。
【００９６】
以上により、各色光用ライトバルブ１６Ｒ，１６Ｇ，１６Ｂにて変調を受けて偏光ビームスプリッタ１５Ｒ，１５Ｇ，１５Ｂにて検光された各色光の検光光は、クロスダイクロイックプリズム１７にて色合成され、当該合成光は、クロスダイクロイックプリズム１７から−Ｙ方向に出射されることになる。そして、クロスダイクロイックプリズム１７から出射された合成光は、投射光学系としての投射レンズ（図示せず）に入射され、スクリーン（図示せず）上にフルカラーの投射像として投射される。
【００９７】
以上のように、クロスダイクロイックミラー１３によって偏光の純度が一旦低下した偏光光の当該純度を、前述した各例のミラーを採用した折り曲げミラー１４Ｒ，１４Ｇ，１４Ｂによって高めることができ、この偏光光をライトバルブに入射させることができるために、前述した従来の投射型表示装置と比べて、格段にコントラストの良好な投射像を投射することができる。
【００９８】
（第３の実施の形態）
次に、前述したミラーを使用した本発明の第３の実施の形態による投射型表示装置について、図３及び図４を参照して説明する。
【００９９】
図３は、本実施の形態による投射型表示装置を示す概略構成図である。説明の便宜上、図に示すように互いに直交するＸ軸、Ｙ軸、Ｚ軸を定義する。また、図４は、図３中のＢ光に関する光学系を−Ｙ方向に見た図である。なお、図３及び図４において、図２中の要素と同一又は対応する要素には同一符号を付し、その重複した説明は省略する。
【０１００】
本実施の形態による投射型表示装置が図２に示す前記第２の実施の形態による投射型表示装置と基本的に異なる所は、色分解光学系としてのクロスダイクロイックミラー１３にて色分解された各色光をそれぞれ偏光分離する偏光ビームスプリッタ１５Ｒ，１５Ｇ，１５Ｂの形状が異なる点である。本実施の形態では、偏光ビームスプリッタ１５Ｒ，１５Ｇ，１５Ｂを構成するプリズムとして屈折率１．５２のいわゆるＢＫ７の称するガラス材が使用されており、この場合、当該偏光ビームスプリッタ１５Ｒ，１５Ｇ，１５Ｂの偏光分離膜に入射角度は５４．６度に設定するのが最も効率が良いためである。
【０１０１】
以上の点より、当該偏光ビームスプリッタ１５Ｒ，１５Ｇ，１５Ｂは、図３及び図４に示すように、偏光ビームスプリッタ１５Ｒ，１５Ｇ，１５Ｂの入射面及び出射面が光軸に対して垂直になるとともに偏光ビームスプリッタ１５Ｒ，１５Ｇ，１５Ｂの偏光分離膜に対して入射角度が前記５４．６度になるように、全体として異形の６角柱形状に作製されている。
【０１０２】
そして、本実施の形態では、各色光を偏光ビームスプリッタ１５Ｒ，１５Ｇ，１５Ｂの偏光分離膜に対して５４．６度の入射角度で入射させるために、図３及び図４に示すように、折り曲げミラー１４Ｒ，１４Ｇ，１４Ｂにはクロスダイクロイックミラー１３からの各色光が入射角度５４．６度で入射されるように配置されている。このため、本実施の形態では、折り曲げミラー１４Ｒ，１４Ｇ，１４Ｂとして、前述した各実施の形態によるミラーのうち、入射角度５４．６度にて入射する光に対して最適化したミラーが採用されている。具体的には、Ｂ光用の折り曲げミラー１４Ｂとして、図１７に示すミラーを採用することができる。
【０１０３】
本実施の形態では、クロスダイクロイックミラー１３によって、色分解されたＢ光はＸ方向に進行して折り曲げミラー１４Ｂに入射角度５４．６度にて入射されて反射され、偏光ビームスプリッタ１５Ｂに当該偏光ビームスプリッタ１５Ｂの偏光分離膜に対して入射角度５４．６度にて入射される。当該偏光分離膜によって偏光分離されたＢ光のＳ偏光光はＸ方向に進行して当該偏光ビームスプリッタ１５Ｂを出射し、反射型ライトバルブ１６Ｂに入射される。当該ライトバルブ１６Ｂにて変調されたＢ光の変調光は、再度偏光ビームスプリッタ１５Ｂに入射され、当該偏光ビームスプリッタ１５Ｂの偏光分離膜に対して入射角度５４．６度にて入射され、当該偏光分離膜にて検光作用を受ける。このＢ光の検光光は、−Ｘ方向に進行して色合成光学系としてのクロスダイクロイックプリズム７に入射され、以上説明したＢ光の場合と同様にして得られたＲ光の検光光及びＧ光の検光光と色合成される。
【０１０４】
本実施の形態による投射型表示装置によっても、前記第２の実施の形態による投射型表示装置と同様の利点が得られる。
【０１０５】
前述した第１乃至第３の実施の形態はいずれも、色分解した各色光を前述した各例によるミラーによって光軸の方向を変えて、色分解光学系の下又は上に色合成光学系が構成される２階建て構造の投射型表示装置であったが、例えば、色分解光学系及び色合成光学系が平面的に配置される１階建て構造の投射型表示装置であっても、色分解光学系にて色分解された各色光を各色光用ライトバルブに入射させ、当該ライトバルブ出射光を色合成させる構成の投射型表示装置であって、色分解後でライトバルブ入射前の位置に折り曲げミラーを少なくとも１つの色光に関して有する投射型表示装置であれば、当該折り曲げミラーに前述した各例による偏光機能を有するミラーを使用すれば、その折り曲げ光に対して偏光の純度を向上させることができ、投射光のコントラストを向上させることができる。
【０１０６】
このような１階建て構造の投射型表示装置の例として、前述した図２０に示す投射型表示装置において、折り曲げミラー６５として前述した各例のミラーを採用したものを挙げることができる。この場合には、折り曲げミラー６５に入射する色光に関して特に偏光の純度を向上させることができ、投射光のコントラストを向上させることができる。
【０１０７】
以上、本発明の各実施の形態について説明したが、本発明はこれらの実施の形態に限定されるものではない。
【０１０８】
例えば、図１中の偏光装置２や図２中の偏光装置１２に代えて、偏光ビームスプリッタやその他の任意の偏光装置を用いることができる。
【０１０９】
また、前述した第１及び第２の実施の形態では入射角度４５度に対して最適化された偏光特性を有するミラーが使用され、前記第３の実施の形態では入射角度５４．６度に対して最適化された偏光特性を有するミラーが使用されていたが、例えば、前述した図７に示すミラーのような入射角度６５度に対して最適化されたミラーを使用するように投射型表示装置を構成することもできる。
【０１１０】
【発明の効果】
以上説明したように、本発明によれば、コストアップ及び装置の大型化を招くことなく、偏光の純度の良好な直線偏光光をライトバルブに入射して良好なコントラストの投射像を得ることができる。
【図面の簡単な説明】
【図１】本発明の第１の実施の形態による投射型表示装置を示す概略構成図である。
【図２】本発明の第２の実施の形態による投射型表示装置を示す概略構成図である。
【図３】本発明の第３の実施の形態による投射型表示装置を示す概略構成図である。
【図４】図３中のＢ光に関する光学系を−Ｙ方向に見た図である。
【図５】本発明において用いられる第１の例のミラーの断面構造を模式的に示す図である。
【図６】図５に示すミラーの反射特性を示す図である。
【図７】本発明において用いられる第２の例のミラーの断面構造を模式的に示す図である。
【図８】図７に示すミラーの反射特性を示す図である。
【図９】本発明において用いられる第３の例のミラーの断面構造を模式的に示す図である。
【図１０】図９に示すミラーの反射特性を示す図である。
【図１１】本発明において用いられる第４の例のミラーの断面構造を模式的に示す図である。
【図１２】図１１に示すミラーの反射特性を示す図である。
【図１３】本発明において用いられる第５の例のミラーの断面構造を模式的に示す図である。
【図１４】図１３に示すミラーの反射特性を示す図である。
【図１５】本発明において用いられる第６の例のミラーの断面構造を模式的に示す図である。
【図１６】図１５に示すミラーの反射特性を示す図である。
【図１７】本発明において用いられる第７の例のミラーの断面構造を模式的に示す図である。
【図１８】図１７に示すミラーの反射特性を示す図である。
【図１９】従来の偏光装置を示す概略構成図である。
【図２０】図１９に示す偏光装置を使用した従来の投射型表示装置を示す概略構成図である。
【符号の説明】
２，１２  偏光装置
３，１３  クロスダイクロイックミラー
４Ｒ，４Ｂ，４Ｇ  折り曲げミラー
５Ｒ，５Ｂ，５Ｇ，１４Ｒ，１４Ｇ，１４Ｂ  折り曲げミラー
６，１７  クロスダイクロイックプリズム
７  透過型ライトバルブ
１５Ｒ，１５Ｂ，１５Ｇ  偏光ビームスプリッタ
１６Ｒ，１６Ｇ，１６Ｂ  反射型ライトバルブ
【図１】
0003750258.tif 000002
【図２】
0003750258.tif 000003
【図３】
0003750258.tif 000004
【図４】
0003750258.tif 000005
【図５】
0003750258.tif 000006
【図６】
0003750258.tif 000007
【図７】
0003750258.tif 000008
【図８】
0003750258.tif 000009
【図９】
0003750258.tif 000010
【図１０】
0003750258.tif 000011
【図１１】
0003750258.tif 000012
【図１２】
0003750258.tif 000013
【図１３】
0003750258.tif 000014
【図１４】
0003750258.tif 000015
【図１５】
0003750258.tif 000016
【図１６】
0003750258.tif 000017
【図１７】
0003750258.tif 000018
【図１８】
0003750258.tif 000019
【図１９】
0003750258.tif 000020
【図２０】
0003750258.tif 000021